(57)【要約】      （修正有）【課題】２つ以上の椅子が柔軟性を持って連結され、互いに距離や角度が調節できるような連結椅子、それを可能にする連結椅子カバーを提供する。【解決手段】２つの椅子の背凭れと座面間を柔軟な２次元的素材（布体）によって連結することを特徴とする連結椅子カバー、および当連結椅子カバーを一部とする連結椅子。【選択図】図１
2006204314.tif 000002
【特許請求の範囲】
【請求項１】
想定される利用状況に従い一定の距離をおいて並置、あるいは一定の距離と角度を持って略並置された２つの椅子Ａ、Ｂを連結して覆う連結椅子カバーであって、  少なくとも、双方の椅子の背凭れ部前面を覆う背凭れ部Ａ（１）、背凭れ部Ｂ（２）、双方の椅子の座面部を覆う座面部Ａ（４）、座面部Ｂ（５）、および背凭れ部Ａ（１）と背凭れ部Ｂ（２）の互いに近い内側縁を略引張状態もしくは弛みを持った状態で連結する背凭れ余部（３）、座面部Ａ（４）と座面部Ｂ（５）の互いに近い内側縁を略引張状態もしくは弛みを持った状態で連結する座面余部（６）、という連続的な６つの部分を含む柔軟な２次元的素材（布体）から成り、それによって２つの椅子を連続的に覆うことを特徴とする連結椅子カバー。
【請求項２】
請求項１の連結椅子カバーの特徴を有するもので、なおかつ、背凭れ部Ａ（１）、背凭れ部（２）、背凭れ余部（３）、座面部Ａ（４）、座面部Ｂ（５）、座面余部（６）に、背凭れ背面部Ａ（７）、背凭れ背面部Ｂ（８）、背凭れ背面余部（９）および座面の前垂部が延長として付加された一枚の柔軟な２次元的素材（布体）、同素材による椅子の背凭れと座面の側面を覆う側面部Ａ（１０）、側面部Ｂ（１１）を縫合することによって作成された、椅子の形状に従い、かつ下部が開いた袋状であることを特徴とする連結椅子カバー。
【請求項３】
請求項１および請求項２の連結椅子カバーの特徴を有するもので、さらに内側面部Ａ（１２）、内側面部Ｂ（１３）を追加し、縫合部Ａ（１４）、縫合部Ｂ（１５）を縫合することによって、背凭れ部Ａ（１）、背凭れ部（２）、座面部Ａ（４）、座面部Ｂ（５）、背凭れ背面部Ａ（７）、背凭れ背面部Ｂ（８）にしわが寄るのを防いであることを特徴とする連結椅子カバー。
【請求項４】
請求項１の連続椅子カバーの特徴を有するもので、請求項３の連結椅子カバーに椅子の肘掛に合わせた小袋を付け加えたものであり、片側の肘掛のみをもつ２つの椅子を互いに肘掛が無い側面を向かい合わせてほぼ並置した状態において覆う、連結椅子カバーである。
【請求項５】
請求項１の連続椅子カバーの特徴を有するもので、なおかつ、背凭れ部Ａ（１）、背凭れ部（２）、背凭れ余部（３）、座面部Ａ（４）、座面部Ｂ（５）、座面余部（６）に、小幅の背凭れ背面部Ａ（７）、背凭れ背面部Ｂ（８）、背凭れ背面余部（９）および座面の前垂部が延長として付加された一枚の柔軟な２次元的素材（布体）からなり、それぞれの椅子について、少なくとも１箇所において、上記布体がマジックテープによって椅子に固定されたことを特徴とする連結椅子カバー。
【請求項６】
想定される利用状況に従い一定の距離をおいて並置、あるいは一定の距離と角度を持って略並置された２つの椅子Ａ、Ｂを連結して覆う連結椅子カバーであって、  両椅子の背凭れ部前面を覆う背凭れ部Ａ（１）、背凭れ部Ｂ（２）、および背凭れ部Ａ（１）と背凭れ部（２）の互いに近い内側縁を略引張状態もしくは弛みを持った状態で連結する背凭れ余部（３）、という連続的な３つの部分を少なくとも含む柔軟な２次元的素材（布体）から成り、それによって２つの椅子を連続的に覆うことを特徴とする連結椅子カバー。
【請求項７】
想定される利用状況に従い一定の距離をおいて並置、あるいは一定の距離と角度を持って略並置された２つの椅子Ａ、Ｂが、  両椅子の背凭れ（背凭れＡ、背凭れＢ）の互いに近い内側縁を引張状態あるいは弛みをもって連結する背凭れ余部（３）と、座面部Ａと座面部Ｂの互いに近い内側縁を略引張状態あるいは弛みをもった状態で連結する座面余部（６）という、少なくとも２つの、柔軟な２次元的素材（布体）による連結部分によって連結されていることを特徴とする連結椅子。
【請求項８】
請求項１または請求項６の連結椅子カバーによって２つの椅子が連結されたことを特徴とする連結椅子であって、該連結椅子カバーを取外し可能な一部として含む連続椅子。
【請求項９】
請求項１または請求項６の連結椅子カバーによって複数の椅子が連結されたことを特徴とする連結椅子であって、該連結椅子カバーを取外し不可能な一部として含む連続椅子。
【発明の詳細な説明】
【技術分野】
【０００１】  本発明は、複数の椅子を柔軟性のある２次元的素材（布体）によって椅子間にゆとり部分をもたせながら連結して覆う連結椅子カバー、および該連結椅子カバーを一部とする連結椅子に関するものである。
【背景技術】
【０００２】  従来、複数の椅子を固定的に連結した連結椅子があった。また、従来一脚の椅子を覆う椅子カバーがあった。
【発明の開示】
【発明が解決しようとする課題】
【０００３】  従来の連結椅子には、次のような問題点があった。  （イ）複数の椅子が互いに固定的に連結されているため、自分の座っている椅子を動かして座り心地を調節することができなかった。  （ロ）複数の椅子が互いに固定的に連結されているため、一人の者が立つ、座るという動作を行うために椅子を引きたいと思った時や、椅子を引く必要性が生じた時、連結された他の椅子に座っている人にも動いてもらう必要があった。  （ハ）複数の椅子が互いに固定的に連結されているため、椅子間の距離や角度を互いに調節することができなかった。  （ニ）複数の椅子が互いに固定的に連結されているため、一人で運搬するのが困難であると同時に、狭い場所で運搬したり収納するのが困難であった。
【課題を解決するための手段】
【０００４】本発明は、複数の椅子を柔軟性のある２次元的素材（布体）によって椅子間にゆとり部分をもたせながら連結することによって、１つの椅子の小規模な移動や回転動作が他の椅子に影響せず、かつ複数の椅子が互いの距離や角度を調節できるような連結可能にする連結椅子カバーおよび連結椅子を創案したものであり、以下のような特徴を有する。【０００５】［１］想定される利用状況に従い一定の距離をおいて並置、あるいは一定の距離と角度を持って略並置された２つの椅子Ａ、Ｂを連結して覆う連結椅子カバーであって、少なくとも、双方の椅子の背凭れ部前面を覆う背凭れ部Ａ（１）、背凭れ部Ｂ（２）、双方の椅子の座面部を覆う座面部Ａ（４）、座面部Ｂ（５）、および背凭れ部Ａ（１）と背凭れ部Ｂ（２）の互いに近い内側縁を略引張状態もしくは弛みを持った状態で連結する背凭れ余部（３）、座面部Ａ（４）と座面部Ｂ（５）の互いに近い内側縁を略引張状態もしくは弛みを持った状態で連結する座面余部（６）、という連続的な６つの部分を含む柔軟な２次元的素材（布体）から成り、それによって２つの椅子を連続的に覆うことを特徴とする連結椅子カバー。【０００６】［２］請求項１の連結椅子カバーの特徴を有するもので、なおかつ、背凭れ部Ａ（１）、背凭れ部（２）、背凭れ余部（３）、座面部Ａ（４）、座面部Ｂ（５）、座面余部（６）に、背凭れ背面部Ａ（７）、背凭れ背面部Ｂ（８）、背凭れ背面余部（９）および座面の前垂部が延長として付加された一枚の柔軟な２次元的素材（布体）、同素材による椅子の背凭れと座面の側面を覆う側面部Ａ（１０）、側面部Ｂ（１１）を縫合することによって作成された、椅子の形状に従い、かつ下部が開いた袋状であることを特徴とする連結椅子カバー。【０００７】［３］請求項１および請求項２の連結椅子カバーの特徴を有するもので、さらに内側面部Ａ（１２）、内側面部Ｂ（１３）を追加し、縫合部Ａ（１４）、縫合部Ｂ（１５）を縫合することによって、背凭れ部Ａ（１）、背凭れ部（２）、座面部Ａ（４）、座面部Ｂ（５）、背凭れ背面部Ａ（７）、背凭れ背面部Ｂ（８）にしわが寄るのを防いであることを特徴とする連結椅子カバー。【０００８】［４］請求項１の連続椅子カバーの特徴を有するもので、請求項３の連結椅子カバーに椅子の肘掛に合わせた小袋を付け加えたものであり、片側の肘掛のみをもつ２つの椅子を互いに肘掛が無い側面を向かい合わせてほぼ並置した状態において覆う、連結椅子カバーである。【０００９】［５］請求項１の連続椅子カバーの特徴を有するもので、なおかつ、背凭れ部Ａ（１）、背凭れ部（２）、背凭れ余部（３）、座面部Ａ（４）、座面部Ｂ（５）、座面余部（６）に、小幅の背凭れ背面部Ａ（７）、背凭れ背面部Ｂ（８）、背凭れ背面余部（９）および座面の前垂部が延長として付加された一枚の柔軟な２次元的素材（布体）からなり、それぞれの椅子について、少なくとも１箇所において、上記布体がマジックテープによって椅子に固定されたことを特徴とする連結椅子カバー。  ［０００９ａ］［６］想定される利用状況に従い一定の距離をおいて並置、あるいは一定の距離と角度を持って略並置された２つの椅子Ａ、Ｂを連結して覆う連結椅子カバーであって、両���子の背凭れ部前面を覆う背凭れ部Ａ（１）、背凭れ部Ｂ（２）、および背凭れ部Ａ（１）と背凭れ部（２）の互いに近い内側縁を略引張状態もしくは弛みを持った状態で連結する背凭れ余部（３）、という連続的な３つの部分を少なくとも含む柔軟な２次元的素材（布体）から成り、それによって２つの椅子を連続的に覆うことを特徴とする連結椅子カバー。  ［０００９ｂ］［７］想定される利用状況に従い一定の距離をおいて並置、あるいは一定の距離と角度を持って略並置された２つの椅子Ａ、Ｂが、  両椅子の背凭れ（背凭れＡ、背凭れＢ）の互いに近い内側縁を引張状態あるいは弛みをもって連結する背凭れ余部（３）と、座面部Ａと座面部Ｂの互いに近い内側縁を略引張状態あるいは弛みをもった状態で連結する座面余部（６）という、少なくとも２つの、柔軟な２次元的素材（布体）による連結部分によって連結されていることを特徴とする連結椅子。  ［０００９ｃ］［８］請求項１または請求項６の連結椅子カバーによって２つの椅子が連結されたことを特徴とする連結椅子であって、該連結椅子カバーを取外し可能な一部として含む連続椅子。  ［０００９ｄ］［９］請求項１または請求項６の連結椅子カバーによって複数の椅子が連結されたことを特徴とする連結椅子であって、該連結椅子カバーを取外し不可能な一部として含む連続椅子。
【発明の効果】
【００１０】本発明では、連結椅子の特徴である下記のイ、ロ、を保ったまま、ハ、二、ホ、ヘ、の効果が得ちれる。すなわち、    （イ）複数の椅子に視覚的な一体感を与える。    （ロ）連結された椅子に座った複数の者に、一体感を感じさせる。    （ハ）複数の椅子が柔軟性のある素材によってゆとりをもって連結されているため、連結された他の椅子に座る人に影響を与えることなく、自分の椅子の位置、方向を調節することができる。    （ニ）複数の椅子が柔軟性のある素材によってゆとりをもって連結されているため、連結された他の椅子に座る人に影響を与えることなく、自分の椅子を引いて、立つ、座るの動作を行うことができる。    （ホ）複数の椅子が柔軟性のある素材によってゆとりをもって連結されているため、椅子間の距離や角度を互いに調節することが可能である。それによって連結された椅子の位置関係に、座る人間同士の微妙な関係を反映することができる。    （ヘ）移動や収納の際に、連結椅子カバーを取り外すことによって、連結椅子を構成する各椅子を個別の椅子として扱うことができる。【００１１】また、椅子カバーとしての次の、ト、チ、リ、の効果を持つ。（請求項１ないし請求項３のいずれかに該当する場合のみ。）    （ト）椅子の形状に合わせて連結椅子カバーを作成することで、どのような形状の椅子を用いても、容易に上記（イ）〜（ヘ）の効果を得ることができる。    （チ）椅子カバー部分の交換や洗浄が容易であるり、最も汚れやすい椅子の座面部や背凭れ部を清潔に保つことが出来る。    （リ）椅子に清潔感、美感を与える。
【発明を実施するための最良の形態】
【００１２】以下、発明の実施形態について７つの例を用いて説明する。【００１３】請求項１〜５にあり、かつ以下の実施形態の説明の中で言及されている、柔軟性のある２次元的素材とは、面的な広がりをもち、当素材によって連結された複数の椅子の距離や角度が少なくとも微調整できる程度の柔軟性を有する素材であればその種類を問わないものであり、したがってあらゆる種類の布地、革、毛皮、合成樹脂シート、布状に編まれた金属チェーン、あらゆる種類の紐状の物質を編んだものなどを含むものである。また、上記の面的な広がりをもつ素材とは、物質が隙間なく面的に広がっている素材のみをいうのではなく、それに複数の孔が設けられたものや、隙間をもって編まれた素材であっても、総体として見たときに面として知覚されるものであれば、これを全て含むものとする。
【第１実施例】
【００１４】以下、本発明の第１実施例における実施の形態について説明する。当実施例は、柔軟性のある２次元的素材の一例として布によってつくられた、２脚の椅子を覆う連結椅子カバーの例であり、請求項１および請求項２の発明に対応した例である。図１は当実施例の使用状態を示す斜視図、図２は分解図、図３は平面図、図４は正面立面図、図５は側面立面図、図６は背面立面図である。
【００１５】図２のように、肘掛を持たない背凭れ付きの椅子２脚を、訳１脚分の間隔を空けて並置した状態を想定し、連結椅子カバーを作成する。
【００１６】当連結椅子カバーを構成する背凭れ部Ａ（１）、背凭れ部Ｂ（２）、両背凭れ部を連結する背凭れ余部（３）、座面部Ａ（４）、座面部Ｂ（５）、両座面部を連結する座面余部（６）は一枚の長方形の布から出来ている。布の幅は、２脚の椅子の座面の幅に椅子の間隔を足したものにわずかな余裕をもたせたものとし、すなわち略引張状態において両椅子の座面をわずかな余裕をもって覆う幅である。
【００１７】上記の布は、座面部Ａ（４）、座面部Ｂ（５）、座面余部（６）の前縁がそれぞれ同じ長さで延長され、そのまま両椅子の座面の正面立面部分を覆う前垂になっている。まだ同様に背凭れ部Ａ（１）、背凭れ部Ｂ（２）、背凭れ余部（３）も上縁がそれぞれ同じ長さで延長され、それを折り曲げることで両背凭れ上部を覆い、さらに背凭れ背面部Ａ（７）、背凭れ背面部Ｂ（８）、背凭れ背面余部（９）となって、両背凭れ背面も覆う。布は依然として長方形のままである。
【００１８】図２にある側面部Ａ（１０）、側面部Ｂ（１１）は、両椅子の外側の側面を覆う布で、背凭れの側面と座面の側面、さらに座面側面の延長として上記の前垂れと同じ長さを覆うように切り抜かれた布である。
【００１９】上記の３つの布を、前垂れ側縁、座面側縁、背凭れ側縁、背凭れ背面側縁と、それぞれ対応する部分を縫合することによって、下部が開いた袋状の連結椅子カバーが出来る。以上が第１実施例の構成である。
【００２０】この連結椅子カバーを２脚の椅子にかぶせて使用すると、２脚の椅子に視覚的な一体感が生まれる。背凭れ余部（３）、座面余部（６）、背凭れ背面余部（９）は、本発明の最も特徴的な部分であり、両椅子を近づけることで弛んだ状態となり、柔軟に変形できることから、片方の椅子の位置や方向の変化が他方の椅子には影響しなくなる。
【第２実施例】
【００２１】以下、本発明の第２実施例における実施の形態について説明する。第２実施例は、請求項１および請求項３に対応した例であり、第１実施例の改善案として第１実施例の連結椅子カバーに、（イ）内側面部Ａ（１２）、内側面部Ｂ（１３）を追加し、（ロ）縫合部Ａ（１４）、縫合部Ｂ（１５）、を縫合した、ものである。これによって、連結椅子カバーの背凭れ部Ａ（１）、背凭れ部Ｂ（２）、座面部Ａ（４）、座面部Ｂ（５）、背凭れ背面部Ａ（７）、背凭れ背面部Ａ（８）にしわが寄るのを防ぐことが出来るようにしたものである。図７は当実施例の使用状態を示す斜視図、図８は一部を切り欠いた斜視図、図９は背凭れ部を切断した平面図である。
【００２２】内側面部Ａ（１２）、内側面部Ｂ（１３）はそれぞれ、座面前垂と同じ高さ、座面奥行きと同じ長さの布である。
【００２３】内側面部Ａ（１２）は、椅子Ａの椅子Ｂに近い側の座面側面部を覆うもので、上縁の少なくとも一部を座面部Ａ（４）と座面余部（６）の境界部に縫合し、前縁を前垂れの対応する部分に、後縁を対応する背凭れ背面部（７）と背凭れ背面余部（９）の境界部分に縫合することによって座面部Ａ（４）にしわが寄るのを防ぐ。
【００２４】内側面部Ｂ（１３）は、椅子Ａの椅子Ｂに近い側の座面側面部を覆うもので、上縁の少なくとも一部を座面部Ｂ（５）と座面余部（６）の境界部に縫合し、前縁を前垂れに、後縁を対応する背凭れ背面部（８）と背凭れ背面余部（９）の境界部分に縫合することによって座面部Ｂ（５）にしわが寄るのを防ぐ。
【００２５】縫合部Ａ（１４）は、背凭れ部Ａ（４）と背凭れ余部（６）の境界部分と、背凭れ背面部Ａ（７）と背凭れ背面余部（９）の境界部分を、少なくともその一部を縫合したもので、これによって背凭れ部Ａ（４）と背凭れ背面部Ａ（７）にしわが寄るのを防ぐ。ｃ縫合部Ｂ（１５）は、背凭れ部Ｂ（５）と背凭れ余部（６）の境界部分と、背凭れ背面部Ｂ（８）と背凭れ背面余部（９）の境界部分の、少なくとも一部を縫合したもので、これによって背凭れ部Ｂ（５）と背凭れ背面部Ｂ（８）にしわが寄るのを防ぐ。
【第３実施例】
【００２６】以下、本発明の第３実施例における実施の形態について説明する。  この例は、柔軟性のある布で作られた、片側のみに肘掛を持った２脚の椅子を覆う連結椅子カバーの例である。請求項１ないし請求項４に対応し、図１０が対応する。
【００２７】片側のみに肘掛を持った２脚の椅子は、肘掛の無い側面を互いに近づけた形で略並置されている。
【００２８】側面部Ａ（１０）は、上部が延長され、肘掛の上部および肘掛内側側面を覆い、座面部Ａ（４）外側縁に縫合されている。
【００２９】側面部Ｂ（１１）は、上部が延長され、肘掛の上部および肘掛内側側面を覆い、座面部Ｂ（５）外側縁に縫合されている。
【第４実施例】
【００３０】以下、本発明の第３実施例における実施の形態について説明する。この例は、請求項１および請求項５に対応する。図１１は当実施例の、使用状態を表し、図１２は分解図を表す。
【００３１】当連結椅子カバーを構成する背凭れ部Ａ（１）、背凭れ部Ｂ（２）、両背凭れ部を連結する背凭れ余部（３）、座面部Ａ（４）、座面部Ｂ（５）、両座面部を連結する座面余部（６）は一枚の長方形の布から出来ている。
【００３２】上記の布は、座面部Ａ（４）、座面部Ｂ（５）、座面余部（６）の前縁がそれぞれ同じ長さで延長され、そのまま両椅子の座面の正面立面部分を覆う前垂になっている。まだ同様に背凭れ部Ａ（１）、背凭れ部Ｂ（２）、背凭れ余部（３）も上縁がそれぞれ同じ長さで延長され、それを折り曲げることで両背凭れ上部を覆い、さらに両背凭れ背面部の上部を覆う。
【００３３】両椅子の、座面正面立面部、背凭れ下部、背凭れ背面上部には、にはマジックテープの片側が固定されており、またマジックテープの対応するもう一方の片側が、上記の布の対応する部分に固定されている。これによって、対応するマジックテープを張り合わせることによって、連結椅子カバーを椅子に固定することが出来る。
【第５実施例】
【００３４】以下、本発明の第５実施例の説明である。当実施例は第２実施例の、背凭れ部分のみを取り出したものである。この例は、請求項６に対応する。図１３は当実施例の使用状態を表す斜視図である。
【第６実施例】
【００３５】以下、本発明の第６実施例について説明する。この例は、請求項？に対応する。図１４は当実施例の使用状態を表す斜視図である。椅子そのものが背凭れ余部（３）、座面余部（６）によって連結された連結椅子の例である。請求項７に対応し、図１４は当実施例の使用状態を示した斜視図である。
【００３５】この椅子の構造部は、平行に地面に置かれた２本の金属パイプ、それに接続された２本の前足となる金属パイプ、それに接続された座面の側縁を形成する金属パイプ、それに接続された背凭れの側縁を形成する金属パイプおよび、それを背凭れの上において接続する水平な金属パイプから成る。
【００３６】この椅子の座面は、座面の両縁を構成する金属パイプの間に布を張ることによって形成されている。
【００３７】上記のような椅子を２つ略並置し、互いの座面部の内側縁を柔軟な２次元的素材による座面余部（６）によって連結する。
【００３７】この椅子の背凭れは、第五実施例の連結椅子カバーと同じ物である。
【図面の簡単な説明】
【０００７】
【図１】本発明の第１実施例における使用状態を示す斜視図
【図２】本発明の第１実施例における分解図
【図３】本発明の第１実施例における平面図
【図４】本発明の第１実施例における正面立面図
【図５】本発明の第１実施例における側面立面図
【図６】本発明の第１実施例における背面立面図
【図７】本発明の第２実施例における使用状態を示す斜視図
【図８】本発明の第２実施例における一部を切り欠いた斜視図
【図９】本発明の第２実施例における背凭れ部分を切断した平面図
【図１０】本発明の第３実施例における使用状態を示す斜視図
【図１１】本発明の第４実施例における使用状態を示す斜視図
【図１２】本発明の第４実施例における使用状態を示す斜視図
【図１３】本発明の第５実施例における使用状態を示す斜視図
【図１４】本発明の第６実施例における使用状態を示す斜視図
【図面の簡単な説明】
【０００８】１    背凭れ部Ａ２    背凭れ部Ｂ３    背凭れ余部４    座面部Ａ５    座面部Ｂ６    座面余部７    背凭れ背面部Ａ８    背凭れ背面部Ｂ９    背凭れ背面余部１０  側面部Ａ１１  側面部Ｂ１２  内側面部Ａ１３  内側面部Ｂ１４  縫合部Ａ１５  縫合部Ｂ１６  マジックテープ（第  実施例）
【図１】
2006204314.tif 000003
【図２】
2006204314.tif 000004
【図３】
2006204314.tif 000005
【図４】
2006204314.tif 000006
【図５】
2006204314.tif 000007
【図６】
2006204314.tif 000008
【図７】
2006204314.tif 000009
【図８】
2006204314.tif 000010
【図９】
2006204314.tif 000011
【図１０】
2006204314.tif 000012
【図１１】
2006204314.tif 000013
【図１２】
2006204314.tif 000014
【図１３】
2006204314.tif 000015
【図１４】
2006204314.tif 000016
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
想定される利用状況に従い一定の距離をおいて並置、あるいは一定の距離と角度を持って略並置された２つの椅子Ａ、Ｂを連結して覆う連結椅子カバーであって、
少なくとも、双方の椅子の背凭れ部前面を覆う背凭れ部Ａ（１）、背凭れ部Ｂ（２）、双方の椅子の座面部を覆う座面部Ａ（４）、座面部Ｂ（５）、および背凭れ部Ａ（１）と背凭れ部Ｂ（２）の互いに近い内側縁を略引張状態もしくは弛みを持った状態で連結する背凭れ余部（３）、座面部Ａ（４）と座面部Ｂ（５）の互いに近い内側縁を略引張状態もしくは弛みを持った状態で連結する座面余部（６）、という連続的な６つの部分を含む柔軟な２次元的素材（布体）から成り、それによって２つの椅子を連続的に覆うことを特徴とする連結椅子カバー。
【請求項２】
請求項１の連結椅子カバーの特徴を有するもので、なおかつ、背凭れ部Ａ（１）、背凭れ部Ｂ（２）、背凭れ余部（３）、座面部Ａ（４）、座面部Ｂ（５）、座面余部（６）に、背凭れ背面部Ａ（７）、背凭れ背面部Ｂ（８）、背凭れ背面余部（９）および座面の前垂部が延長として付加された一枚の柔軟な２次元的素材（布体）、同素材による椅子の背凭れと座面の側面を覆う側面部Ａ（１０）、側面部Ｂ（１１）を縫合することによって作成された、椅子の形状に従い、かつ下部が開いた袋状であることを特徴とする連結椅子カバー。
【請求項３】
請求項２の連結椅子カバーの特徴を有するもので、さらに内側面部Ａ（１２）、内側面部Ｂ（１３）を追加し、縫合部Ａ（１４）、縫合部Ｂ（１５）を縫合することによって、背凭れ部Ａ（１）、背凭れ部Ｂ（２）、座面部Ａ（４）、座面部Ｂ（５）、背凭れ背面部Ａ（７）、背凭れ背面部Ｂ（８）にしわが寄るのを防いでいることを特徴とする連結椅子カバー。
【請求項４】
請求項３の連結椅子カバーの特徴を有し、さらに椅子の肘掛に合わせた小袋を付け加えたものであり、片側の肘掛のみをもつ２つの椅子を互いに肘掛が無い側面を向かい合わせてほぼ並置した状態において覆うことを特徴とする連結椅子カバー。
【請求項５】
請求項１の連結椅子カバーの特徴を有するもので、なおかつ、背凭れ部Ａ（１）、背凭れ部Ｂ（２）、背凭れ余部（３）、座面部Ａ（４）、座面部Ｂ（５）、座面余部（６）に、小幅の背凭れ背面部Ａ（７）、背凭れ背面部Ｂ（８）、背凭れ背面余部（９）および座面の前垂部が延長として付加された一枚の柔軟な２次元的素材（布体）からなり、それぞれの椅子について、少なくとも１箇所において、上記布体がマジックテープによって椅子に固定されたことを特徴とする連結椅子カバー。
【請求項６】
想定される利用状況に従い一定の距離をおいて並置、あるいは一定の距離と角度を持って略並置された２つの椅子Ａ、Ｂを連結して覆う連結椅子カバーであって、
両椅子の背凭れ部前面を覆う背凭れ部Ａ（１）、背凭れ部Ｂ（２）、および背凭れ部Ａ（１）と背凭れ部Ｂ（２）の互いに近い内側縁を略引張状態もしくは弛みを持った状態で連結する背凭れ余部（３）、という連続的な３つの部分を少なくとも含む柔軟な２次元的素材（布体）から成り、それによって２つの椅子を連続的に覆うことを特徴とする連結椅子カバー。
【請求項７】
想定される利用状況に従い一定の距離をおいて並置、あるいは一定の距離と角度を持って略並置された２つの椅子Ａ、Ｂが、
両椅子の背凭れ（背凭れＡ、背凭れＢ）の互いに近い内側縁を引張状態あるいは弛みをもって連結する背凭れ余部（３）と、座面部Ａと座面部Ｂの互いに近い内側縁を略引張状態あるいは弛みをもった状態で連結する座面余部（６）という、少なくとも２つの、柔軟な２次元的素材（布体）による連結部分によって連結されていることを特徴とする連結椅子。
【請求項８】
請求項１から請求項６までのいずれかに記載した連結椅子カバーと同方式の連結椅子カバーによって３つ以上の椅子を連結することを特徴とする連結椅子カバー。
【請求項９】
請求項１から請求項６のいずれか、または請求項８に記載した連結椅子カバーと同方式の連結椅子カバーによって複数の椅子が連結されたことを特徴とする連結椅子であって、該連結椅子カバーを取外し可能な一部として含む連続椅子。
【請求項１０】
請求項１から請求項６のいずれか、または請求項８に記載した連結椅子カバーと同方式の連結椅子カバーによって複数の椅子が連結されたことを特徴とする連結椅子であって、該連結椅子カバーを取外し不可能な一部として含む連続椅子。
【手続補正２】
【補正対象書類名】明細書
【補正対象項目名】全文
【補正方法】変更
【補正の内容】
【発明の詳細な説明】
【技術分野】
【０００１】  本発明は、複数の椅子を柔軟性のある２次元的素材（布体）によって椅子間にゆとり部分をもたせながら連結して覆う連結椅子カバー、および該連結椅子カバーを一部とする連結椅子に関するものである。
【背景技術】
【０００２】  従来、複数の椅子を固定的に連結した連結椅子があった。また、従来一脚の椅子を覆う椅子カバーがあった。
【発明の開示】
【発明が解決しようとする課題】
【０００３】従来の連結椅子には、次のような問題点があった。
（イ）複数の椅子が互いに固定的に連結されているため、自分の座っている椅子を動かして座り心地を調節することができなかった。
（ロ）複数の椅子が互いに固定的に連結されているため、一人の者が立つ、座るという動作を行うために椅子を引きたいと思った時や、椅子を引く必要性が生じた時、連結された他の椅子に座っている人にも動いてもらう必要があった。
（ハ）複数の椅子が互いに固定的に連結されているため、椅子間の距離や角度を互いに調節することができなかった。
（ニ）複数の椅子が互いに固定的に連結されているため、一人で運搬するのが困難であると同時に、狭い場所で運搬したり収納するのが困難であった。【０００４】
【問題を解決するための手段】
本発明は、複数の椅子を柔軟性のある２次元的素材（布体）によって椅子間にゆとり部分をもたせながら連結することによって、連結椅子としての一体感を保ちながらも、１つの椅子の小規模な移動や回転動作が他の椅子に影響せず、かつ複数の椅子が互いの距離や角度を調節できるような連結方法を可能にする連結椅子カバーおよび連結椅子を創案したものであり、以下のような特徴を有する。
【０００５】［１］想定される利用状況に従い一定の距離をおいて並置、あるいは一定の距離と角度を持って略並置された２つの椅子Ａ、Ｂを連結して覆う連結椅子カバーであって、
少なくとも、双方の椅子の背凭れ部前面を覆う背凭れ部Ａ（１）、背凭れ部Ｂ（２）、双方の椅子の座面部を覆う座面部Ａ（４）、座面部Ｂ（５）、および背凭れ部Ａ（１）と背凭れ部Ｂ（２）の互いに近い内側縁を略引張状態もしくは弛みを持った状態で連結する背凭れ余部（３）、座面部Ａ（４）と座面部Ｂ（５）の互いに近い内側縁を略引張状態もしくは弛みを持った状態で連結する座面余部（６）、という連続的な６つの部分を含む柔軟な２次元的素材（布体）から成り、それによって２つの椅子を連続的に覆うことを特徴とする連結椅子カバー。
【０００６】［２］請求項１の連結椅子カバーの特徴を有するもので、なおかつ、背凭れ部Ａ（１）、背凭れ部Ｂ（２）、背凭れ余部（３）、座面部Ａ（４）、座面部Ｂ（５）、座面余部（６）に、背凭れ背面部Ａ（７）、背凭れ背面部Ｂ（８）、背凭れ背面余部（９）および座面の前垂部が延長として付加された一枚の柔軟な２次元的素材（布体）、同素材による椅子の背凭れと座面の側面を覆う側面部Ａ（１０）、側面部Ｂ（１１）を縫合することによって作成された、椅子の形状に従い、かつ下部が開いた袋状であることを特徴とする連結椅子カバー。
【０００７】［３］請求項２の連結椅子カバーの特徴を有するもので、さらに内側面部Ａ（１２）、内側面部Ｂ（１３）を追加し、縫合部Ａ（１４）、縫合部Ｂ（１５）を縫合することによって、背凭れ部Ａ（１）、背凭れ部（２）、座面部Ａ（４）、座面部Ｂ（５）、背凭れ背面部Ａ（７）、背凭れ背面部Ｂ（８）にしわが寄るのを防いでいることを特徴とする連結椅子カバー。
【０００８】［４］請求項３の連結椅子カバーの特徴を有し、さらに椅子の肘掛に合わせた小袋を付け加えたものであり、片側の肘掛のみをもつ２つの椅子を互いに肘掛が無い側面を向かい合わせてほぼ並置した状態において覆うことを特徴とする連結椅子カバー。
【０００９】［５］請求項１の連結椅子カバーの特徴を有するもので、なおかつ、背凭れ部Ａ（１）、背凭れ部（２）、背凭れ余部（３）、座面部Ａ（４）、座面部Ｂ（５）、座面余部（６）に、小幅の背凭れ背面部Ａ（７）、背凭れ背面部Ｂ（８）、背凭れ背面余部（９）および座面の前垂部が延長として付加された一枚の柔軟な２次元的素材（布体）からなり、それぞれの椅子について、少なくとも１箇所において、上記布体がマジックテープ（１６）によって椅子に固定されたことを特徴とする連結椅子カバー。
【００１０】［６］想定される利用状況に従い一定の距離をおいて並置、あるいは一定の距離と角度を持って略並置された２つの椅子Ａ、Ｂを連結して覆う連結椅子カバーであって、両椅子の背凭れ部前面を覆う背凭れ部Ａ（１）、背凭れ部Ｂ（２）、および背凭れ部Ａ（１）と背凭れ部Ｂ（２）の互いに近い内側縁を略引張状態もしくは弛みを持った状態で連結する背凭れ余部（３）、という連続的な３つの部分を少なくとも含む柔軟な２次元的素材（布体）から成り、それによって２つの椅子の背凭れ部を連続的に覆うことを特徴とする連結椅子カバー。
【００１１】［７］想定される利用状況に従い一定の距離をおいて並置、あるいは一定の距離と角度を持って略並置された２つの椅子Ａ、Ｂが、
両椅子の背凭れ（背凭れＡ、背凭れＢ）の互いに近い内側縁を引張状態あるいは弛みをもって連結する背凭れ余部（３）と、座面部Ａと座面部Ｂの互いに近い内側縁を略引張状態あるいは弛みをもった状態で連結する座面余部（６）という、少なくとも２つの、柔軟な２次元的素材（布体）による連結部分によって連結されていることを特徴とする連結椅子。
【００１２】［８］請求項１から請求項６までのいずれかに記載した連結椅子カバーと同方式の連結椅子カバーによって３つ以上の椅子を連結することを特徴とする連結椅子カバー。
【００１３】［９］請求項１から請求項６までのいずれか、または請求項８に記述した連結椅子カバーと同方式の連結椅子カバーによって複数の椅子が連結されたことを特徴とする連結椅子であって、該連結椅子カバーを取外し可能な一部として含む連続椅子。
【００１４】［１０］請求項１から請求項６までのいずれか、または請求項８に記述した連結椅子カバーと同方式の連結椅子カバーによって複数の椅子が連結されたことを特徴とする連結椅子であって、該連結椅子カバーを取外し不可能な一部として含む連続椅子。
【００１５】「特許請求の範囲」、本項「問題を解決するための手段」、および「発明を実施するための最良の形態」にある「柔軟性のある２次元的素材（布体）」とは、面的な広がりをもち、当素材によって連結された複数の椅子の距離や角度が少なくとも微調整できる程度の柔軟性を有する素材であればその種類を問わないものであり、したがってあらゆる種類の布地、革、毛皮、合成樹脂シート、布状に編まれた金属チェーン、あらゆる種類の紐状の物質を編んだものなどを含むものである。また、上記の面的な広がりをもつ素材とは、物質が隙間なく面的に広がっている素材のみをいうのではなく、それに複数の孔が設けられたものや、隙間をもって編まれた素材であっても、総体として見たときに面として知覚されるものであれば、これを全て含むものとする。
【００１６】
【発明の効果】
本発明では、従来の連結椅子の特徴である下記のイ、ロ、を保ったまま、さらに柔軟性のある連結方法による、ハ、二、ホ、の効果が得られる。すなわち、
（イ）複数の椅子に視覚的な一体感を与える。
（ロ）連結された椅子に座った複数の者に、一体感を感じさせる。
（ハ）複数の椅子が柔軟性のある素材によってゆとりをもって連結されているため、連結された他の椅子に座る人に影響を与えることなく、自分の椅子の位置、方向を調節することができる。
（ニ）複数の椅子が柔軟性のある素材によってゆとりをもって連結されているため、連結された他の椅子に座る人に影響を与えることなく、自分の椅子を引いて、立つ、座るなどの動作を行うことができる。
（ホ）複数の椅子が柔軟性のある素材によってゆとりをもって連結されているため、椅子間の距離や角度を互いに調節することが可能である。それによって連結された椅子の位置関係に、座る人間同士の微妙な関係を反映することができる。
【００１７】また、椅子カバーとしての次の、ヘ、ト、チ、リ、ヌ、の効果を持つ。（請求項１から請求項６、および請求項８、請求項９のいずれかに該当する場合のみ。）
（ヘ）使用状況に応じて、あるいは移動や収納の際に、連結椅子カバーを取り外すことによって、連結椅子を構成する各椅子を個別の椅子として扱うことができる。
（ト）椅子カバー部分の交換や洗浄が容易であり、最も汚れやすい椅子の座面部や背凭れ部を清潔に保つことが出来る。
（チ）椅子に清潔感、美感を与える。
（リ）椅子の形状に合わせて連結椅子カバーを作成することで、どのような形状の椅子を用いても、容易に上記（イ）から（チ）に挙げた効果を得ることができる。
【００１８】
【発明を実施するための最良の形態】以下、発明の実施形態について７つの例を用いて説明する。【００１９】
【第１実施例】
以下、本発明の第１実施例における実施の形態について説明する。当実施例は、柔軟性のある２次元的素材の一例として布によってつくられた、２脚の椅子を覆う連結椅子カバーの例であり、請求項１および請求項２の発明に対応した例である。図１は当実施例の使用状態を示す斜視図、図２は分解図、図３は平面図、図４は正面立面図、図５は側面立面図、図６は背面立面図である。
【００２０】図２のように、肘掛を持たない背凭れ付きの椅子２脚を、約１脚分の間隔を空けて並置した状態を想定し、連結椅子カバーを作成する。
【００２１】当連結椅子カバーを構成する背凭れ部Ａ（１）、背凭れ部Ｂ（２）、両背凭れ部を連結する背凭れ余部（３）、座面部Ａ（４）、座面部Ｂ（５）、両座面部を連結する座面余部（６）は一枚の長方形の布から出来ている。布の幅は、２脚の椅子の座面の幅に椅子の間隔を足したものにわずかな余裕をもたせたものとし、すなわち略引張状態において両椅子の座面をわずかな余裕をもって覆う幅である。
【００２２】上記の布は、座面部Ａ（４）、座面部Ｂ（５）、座面余部（６）の前縁がそれぞれ同じ長さで延長され、そのまま両椅子の座面の正面立面部分を覆う前垂になっている。また同様に背凭れ部Ａ（１）、背凭れ部Ｂ（２）、背凭れ余部（３）も上縁がそれぞれ同じ長さで延長され、それを折り曲げることで両背凭れ上部を覆い、さらに背凭れ背面部Ａ（７）、背凭れ背面部Ｂ（８）、背凭れ背面余部（９）となって、両背凭れ背面も覆う。布は依然として長方形のままである。
【００２３】図２にある側面部Ａ（１０）、側面部Ｂ（１１）は、両椅子の外側の側面を覆う布で、背凭れの側面と座面の側面、さらに座面側面の延長として上記の前垂れ下端と同じ高さまでを覆うように切り抜かれた布である。
【００２４】上記の３つの布を、前垂れ側縁、座面側縁、背凭れ側縁、背凭れ背面側縁と、それぞれ対応する部分を縫合することによって、下部が開いた袋状の連結椅子カバーが出来る。以上が第１実施例の構成である。
【００２５】この連結椅子カバーを２脚の椅子にかぶせて使用すると、２脚の椅子に視覚的な一体感が生まれる。背凭れ余部（３）、座面余部（６）、背凭れ背面余部（９）は、本発明の最も特徴的な部分であり、両椅子を近づけることで弛んだ状態となり、柔軟に変形できることから、片方の椅子の位置や方向の変化が他方の椅子には影響しなくなる。
【００２６】
【第２実施例】
以下、本発明の第２実施例における実施の形態について説明する。第２実施例は、請求項１から請求項３までに対応した例であり、第１実施例の改善案として第１実施例の連結椅子カバーに、
（イ）内側面部Ａ（１２）、内側面部Ｂ（１３）を追加し、
（ロ）縫合部Ａ（１４）、縫合部Ｂ（１５）、を縫合した、
ものである。これによって、連結椅子カバーの背凭れ部Ａ（１）、背凭れ部Ｂ（２）、座面部Ａ（４）、座面部Ｂ（５）、背凭れ背面部Ａ（７）、背凭れ背面部Ａ（８）にしわが寄るのを防ぐことが出来るようにしたものである。図７は当実施例の使用状態を示す斜視図、図８は一部を切り欠いた斜視図、図９は背凭れ部を切断した平面図である。
【００２７】内側面部Ａ（１２）、内側面部Ｂ（１３）はそれぞれ、座面前垂と同じ高さ、座面奥行きと同じ長さの布である。
【００２８】内側面部Ａ（１２）は、椅子Ａの椅子Ｂに近い側の座面側面部を覆うもので、上縁の少なくとも一部を座面部Ａ（４）と座面余部（６）の境界部に縫合し、前縁を前垂れの対応する部分に、後縁を対応する背凭れ背面部（７）と背凭れ背面余部（９）の境界部分に縫合することによって座面部Ａ（４）にしわが寄るのを防ぐ。
【００２９】内側面部Ｂ（１３）は、椅子Ｂの椅子Ａに近い側の座面側面部を覆うもので、上縁の少なくとも一部を座面部Ｂ（５）と座面余部（６）の境界部に縫合し、前縁を前垂れに、後縁を対応する背凭れ背面部（８）と背凭れ背面余部（９）の境界部分に縫合することによって座面部Ｂ（５）にしわが寄るのを防ぐ。
【００３０】縫合部Ａ（１４）は、背凭れ部Ａ（４）と背凭れ余部（６）の境界部分と、背凭れ背面部Ａ（７）と背凭れ背面余部（９）の境界部分を、少なくともその一部を縫合したもので、これによって背凭れ部Ａ（４）と背凭れ背面部Ａ（７）にしわが寄るのを防ぐ。
縫合部Ｂ（１５）は、背凭れ部Ｂ（５）と背凭れ余部（６）の境界部分と、背凭れ背面部Ｂ（８）と背凭れ背面余部（９）の境界部分の、少なくとも一部を縫合したもので、これによって背凭れ部Ｂ（５）と背凭れ背面部Ｂ（８）にしわが寄るのを防ぐ。
【００３１】
【第３実施例】
以下、本発明の第３実施例における実施の形態について説明する。この例は、柔軟性のある布で作られた、片側のみに肘掛を持った２脚の椅子を覆う連結椅子カバーの例である。請求項４に対応し、図１０が対応する。
【００３２】片側のみに肘掛を持った２脚の椅子は、肘掛の無い側面を互いに近づけた形で略並置されている。
【００３３】側面部Ａ（１０）は、上部が延長され、肘掛の上部および肘掛内側側面を覆い、座面部Ａ（４）外側縁に縫合されている。
【００３４】側面部Ｂ（１１）は、上部が延長され、肘掛の上部および肘掛内側側面を覆い、座面部Ｂ（５）外側縁に縫合されている。
【００３５】
【第４実施例】
以下、本発明の第４実施例における実施の形態について説明する。この例は請求項５に対応する。図１１は当実施例の使用状態を表し、図１２は分解図を表す。
【００３６】当連結椅子カバーを構成する背凭れ部Ａ（１）、背凭れ部Ｂ（２）、両背凭れ部を連結する背凭れ余部（３）、座面部Ａ（４）、座面部Ｂ（５）、両座面部を連結する座面余部（６）は一枚の長方形の布から出来ている。
【００３７】上記の布は、座面部Ａ（４）、座面部Ｂ（５）、座面余部（６）の前縁がそれぞれ同じ長さで延長され、そのまま両椅子の座面の正面立面部分を覆う前垂になっている。また同様に背凭れ部Ａ（１）、背凭れ部Ｂ（２）、背凭れ余部（３）も上縁がそれぞれ同じ長さで延長され、それを折り曲げることで両背凭れ上部を覆い、さらに両背凭れ背面部の上部を覆う。
【００３８】両椅子の、座面正面立面部、背凭れ下部、背凭れ背面上部には、マジックテープの片側が固定されており、またマジックテープの対応するもう一方の片側が、上記の布の対応する部分に固定されている。これによって、対応するマジックテープを張り合わせることによって、連結椅子カバーを椅子に固定することが出来る。
【００３９】
【第５実施例】
以下、本発明の第５実施例の説明である。当実施例は第２実施例の、背凭れ部分のみを取り出したものである。この例は、請求項６に対応する。図１３は当実施例の使用状態を表す斜視図である。
【００４０】
【第６実施例】
以下、本発明の第６実施例について説明する。この例は、請求項７に対応する。図１４は当実施例の使用状態を表す斜視図である。２つの椅子そのものが背凭れ余部（３）、座面余部（６）によって連結された連結椅子の例である。
【００４１】この椅子の構造部は、平行に地面に置かれた２本の金属パイプ、それに接続された２本の前足となる金属パイプ、それに接続された座面の側縁を形成する金属パイプ、それに接続された背凭れの側縁を形成する金属パイプおよび、それを背凭れの上において接続する水平な金属パイプから成る。
【００４２】この椅子の座面は、座面の両縁を構成する金属パイプの間に布を張ることによって形成されている。
【００４３】上記のような椅子を２つ略並置し、互いの座面部の内側縁を柔軟な２次元的素材による座面余部（６）によって連結する。
【００４４】この椅子の背凭れは、第５実施例の連結椅子カバーと同じ物である。
【図面の簡単な説明】
【００４５】
【図１】本発明の第１実施例における使用状態を示す斜視図
【図２】本発明の第１実施例における分解図
【図３】本発明の第１実施例における平面図
【図４】本発明の第１実施例における正面立面図
【図５】本発明の第１実施例における側面立面図
【図６】本発明の第１実施例における背面立面図
【図７】本発明の第２実施例における使用状態を示す斜視図
【図８】本発明の第２実施例における一部を切り欠いた斜視図
【図９】本発明の第２実施例における背凭れ部分を切断した平面図
【図１０】本発明の第３実施例における使用状態を示す斜視図
【図１１】本発明の第４実施例における使用状態を示す斜視図
【図１２】本発明の第４実施例における分解図
【図１３】本発明の第５実施例における使用状態を示す斜視図
【図１４】本発明の第６実施例における使用状態を示す斜視図
【符号の説明】
【００４６】１    背凭れ部Ａ
２    背凭れ部Ｂ
３    背凭れ余部
４    座面部Ａ
５    座面部Ｂ
６    座面余部
７    背凭れ背面部Ａ
８    背凭れ背面部Ｂ
９    背凭れ背面余部
１０  側面部Ａ
１１  側面部Ｂ
１２  内側面部Ａ
１３  内側面部Ｂ
１４  縫合部Ａ
１５  縫合部Ｂ
１６  マジックテープ（第４実施例）
【手続補正３】
【補正対象書類名】図面
【補正対象項目名】全文
【補正方法】変更
【補正の内容】
【書類名】図面
【図１】
2006204314.tif 000017
【図２】
2006204314.tif 000018
【図３】
2006204314.tif 000019
【図４】
2006204314.tif 000020
【図５】
2006204314.tif 000021
【図６】
2006204314.tif 000022
【図７】
2006204314.tif 000023
【図８】
2006204314.tif 000024
【図９】
2006204314.tif 000025
【図１０】
2006204314.tif 000026
【図１１】
2006204314.tif 000027
【図１２】
2006204314.tif 000028
【図１３】
2006204314.tif 000029
【図１４】
2006204314.tif 000030